(57)【要約】  照明器具ホルダ１０と照明器具モジュール２０とを有する照明器具設備３０が提供される。前記照明器具ホルダ１０は、電気回路コネクタ１２と、前記電気回路コネクタ１２上に設けられるグロメット封止部１４と、シールド１８とを有し、グランド面３２に取り付けられるよう構成される。前記照明器具モジュール２０は、カバー２４を有し、前記照明器具ホルダ１０において受けられるよう構成される。前記シールド１８及び前記カバー２４は、前記照明器具ホルダ１０において前記照明器具モジュール２０が受けられる場合に、前記照明器具ホルダ１０と前記照明器具モジュール２０と間の封止機構を形成するよう構成される。
2014531727.tif 000002
【特許請求の範囲】
【請求項１】
電気回路コネクタと、前記電気回路コネクタ上に設けられるグロメット封止部と、シールドとを有し、グランド面に取り付けられるよう構成される照明器具ホルダ、及び
カバーを有し、前記照明器具ホルダにおいて受けられるよう構成される照明器具モジュールを有する照明器具設備であって、
前記シールド及び前記カバーが、前記照明器具ホルダにおいて前記照明器具モジュールが受けられる場合に、前記照明器具ホルダと前記照明器具モジュールと間の封止係合部を形成するよう構成される照明器具設備。
【請求項２】
前記シールドと前記グランド面との間に配置される封止部を更に有し、前記封止部が、前記照明器具設備と前記グランド面と間の封止係合部を形成するよう構成される請求項１に記載の照明器具設備。
【請求項３】
前記照明器具モジュールが、発光開口部を有し、前記照明器具ホルダと前記照明器具モジュールとの間の前記封止係合部が、前記照明器具ホルダにおいて前記照明器具モジュールが受けられる場合に、前記発光開口部がカバーされないままであるように、形成される請求項１又は２に記載の照明器具設備。
【請求項４】
前記照明器具モジュールが、複数の発光ダイオードを有する発光ダイオードモジュールである請求項１乃至３のいずれか一項に記載の照明器具設備。
【請求項５】
前記シールドに少なくとも１つのガスケットが取り付けられる請求項１乃至４のいずれか一項に記載の照明器具設備。
【請求項６】
前記カバーに少なくとも１つのガスケットが取り付けられる請求項１乃至５のいずれか一項に記載の照明器具設備。
【請求項７】
前記照明器具モジュール上の前記カバーが、前記カバーと、少なくとも１つのガスケットとを有する統合カバー機構である請求項１乃至５のいずれか一項に記載の照明器具設備。
【請求項８】
前記照明器具ホルダ上の前記シールドが、前記グロメット封止部と、前記封止部と、少なくとも１つのガスケットとを有する統合シールド機構である請求項２又は請求項２に従属する請求項３乃至４のいずれか一項に記載の照明器具設備。
【請求項９】
前記照明器具ホルダと前記グランド面との間に少なくとも１つのガスケットが配設される請求項１乃至８のいずれか一項に記載の照明器具設備。
【請求項１０】
前記グランド面に少なくとも１つのガスケットが取り付けられる請求項１乃至９のいずれか一項に記載の照明器具設備。
【請求項１１】
電気回路コネクタと、前記電気回路コネクタ上に設けられるグロメット封止部と、シールドとを有し、グランド面に取り付けられるよう構成される照明器具ホルダであって、請求項１乃至１０のいずれか一項に記載の照明器具設備の一部を形成するよう構成される照明器具ホルダ。
【請求項１２】
カバーを有し、発光開口部を通して光を発し、照明器具ホルダにおいて受けられるよう構成される照明器具モジュールであって、請求項１乃至１０のいずれか一項に記載の照明器具設備の一部を形成するよう構成される照明器具モジュール。
【請求項１３】
請求項１１に記載の照明器具ホルダにおいて受けられるよう構成される照明器具モジュール。
【請求項１４】
請求項１２に記載の照明器具モジュールを受けるよう構成される照明器具ホルダ。
【請求項１５】
請求項１乃至１０のいずれか一項に記載の設備を有する照明器具。
【発明の詳細な説明】
【技術分野】
【０００１】
本発明は、照明器具モジュールの分野に関し、詳細には、照明器具ホルダ及び照明器具モジュールから成る照明器具設備に関する。より詳細には、本発明は、ＬＥＤ駆動照明器具モジュールの分野に関する。
【背景技術】
【０００２】
今日、市場においては、ＬＥＤ駆動照明器具の数が増えている。これらのシステムの多くは、複数の発光ダイオード、ＬＥＤを有するＬＥＤモジュールを備えている。ＬＥＤモジュールは、一般に、ランプホルダに挿入される又は取り付けられる。
【０００３】
この領域における業界及び他の関係者は、現在、ＬＥＤライトエンジンのインタフェースのための標準規格を開発する目的で協力している。ＬＥＤライトエンジンは、ライトエンジン内で用いられるＬＥＤ技術のタイプに依存しない規定されたインタフェースを備えるＬＥＤモジュールである。例えば、ＬＥＤモジュールを取り付け、電気的に接続するための標準規格は、電気的な、機械的な及び熱的なインタフェースを規定してもよく、様々な製造業者によって作成される製品間の互換性を可能にし得る。換言すれば、これは、顧客がブランドＡのＬＥＤモジュールとブランドＢのＬＥＤモジュールを交換することを可能にする。この方法においては、顧客がＬＥＤモジュールを交換したい場合にソケット又は照明器具を交換する必要がない。
【０００４】
互換性は、様々な用途特有のライトエンジンのためのインタフェースを規定することによって達成される。標準規格は、ＬＥＤライトエンジンの物理的寸法だけでなく、測光、電気的及び熱的挙動もカバーし得る。
【０００５】
照明の標準規格は、多くの領域、即ち、家庭、小売り、オフィス及びアウトドア用途のための照明において実施され得る。これらの用途の多くにおいては、多くの場合、高い侵入保護（ＩＰ）の要求がある。ＩＰ等級は、機械的なケース及び電気的エンクロージャにおいて、（手及び指のような身体の一部を含む）固形物、塵、偶発的接触及び水の侵入に対して講じられている保護策の程度を分類し、等級付けする。ＩＰ等級規格は、防水のような曖昧な広告表現より詳細な情報を供給することを目的とする。
【０００６】
上述の規格の或る不利な点は、インタフェースが、侵入保護を組み込まないことである。それ故、それは、完全に、設計作成時にＩＰ保護を施す照明器具の製造業者までである。更に、多くの場合、かさばる設計にすることなく、高いＩＰ等級を実現することは、多くの場合、困難である。更に、別の不利な点は、ＬＥＤモジュールが、侵入保護カバーによって完全に包み込まれなければならないことから、余分な光損失が生じることである。
【０００７】
それ故、このような照明規格が実施されるこれらのタイプの用途のために、どのように高いＩＰ等級及び最適な照明器具効率の両方を持つＬＥＤ照明器具を実現べきかのコンパクトで、容易なソリューションのニーズがある。
【発明の概要】
【発明が解決しようとする課題】
【０００８】
上記のことを鑑みて、様々なブランドの照明器具モジュール及び照明器具ホルダの間の互換性を容易にし得る照明器具設備を提供することは、望ましい。最適な照明器具効率を維持しながら、従って、余分な光損失の発生を防止しながら、高いＩＰ保護能力を持つ照明器具設備を提供することも、望ましい。
【０００９】
更に、かさばる設計にすることなく、高い侵入保護を組み込み得る照明器具設備を提供することは、望ましい。
【課題を解決するための手段】
【００１０】
広くは、上記の目的は、添付の独立請求項に記載の設備及び装置によって達成される。
【００１１】
本発明の目的は、上記の課題を解決する、又は少なくとも減らす設備を提供することである。
【００１２】
本発明の第１の態様によれば、この及び他の目的は、電気回路コネクタと、前記電気回路コネクタ上に設けられるグロメット封止部と、シールドとを有し、グランド面に取り付けられるよう構成される照明器具ホルダ、及びカバーを有し、前記照明器具ホルダにおいて受けられるよう構成される照明器具モジュールを有する照明器具設備であって、前記シールド及び前記カバーが、前記照明器具ホルダにおいて前記照明器具モジュールが受けられる場合に、前記照明器具ホルダと前記照明器具モジュールと間の封止係合部を形成するよう構成される照明器具設備によって達成される。
【００１３】
有利なことには、このような照明器具設備は、照明器具モジュールと照明器具ホルダとの間の改善されたインタフェースを提供する。この方法においては、前記規格の不利な点が取り除かれる。換言すれば、本発明による照明器具設備は、一旦、前記照明器具ホルダに前記照明器具モジュールが挿入されると、防水保護が形成されるようにして、侵入保護を組み込む。
【００１４】
本発明の照明器具設備の別の利点は、小さい、コンパクトな設計で、高い侵入保護が達成され得ることである。それ故、製造業者は、高いＩＰ等級を達成するために付加的なカバーを付加することによってかさばる設計にする必要がない。
【００１５】
本発明の主な要素は、前記ランプホルダ、即ち、前記照明器具ホルダが、グランド面とランプホルダとの間の防水接続、及び電源ワイヤの防水接続を担当することである。この目的のため、前記ランプホルダにシールドが付加される。前記ＬＥＤモジュール、即ち、前記照明器具モジュールには、追加のスカートが取り付けられる。前記スカート及びシールドは、一旦、前記ホルダに前記ＬＥＤモジュールが挿入されると、防水保護を形成する。前記スカートは、前記ＬＥＤモジュールの前記発光開口部をふさがない、又は覆わない。この方法においては、100%の光学的効率を持つ防水照明器具が構築され得る。付加的なカバーは必要とされない。本発明の要素は、侵入保護の一部が、前記ランプホルダ、及びランプホルダとＬＥＤモジュールとの間のインタフェースにおいて実現されることである。低いＩＰ等級及び高いＩＰ等級の照明器具ホルダ及び照明器具モジュールの間の互換性を達成することも可能である。前記侵入保護は、前記ＬＥＤモジュールに取り付けられるスカート、及び前記ランプホルダ／ソケットに取り付けられる保護リングによって、供給される。更に、防水インタフェースを作成するために、３つのゴム封止部、即ち、前記照明器具ホルダとグランド面との間の封止リング、ケーブル導入口上のグロメットのような封止部、及び前記ＬＥＤモジュール上の前記スカートと前記照明器具ホルダ上の前記シールドとの間のＯリングが、用いられ得る。
【００１６】
実施例においては、前記照明器具設備は、前記シールドと前記グランド面との間に配置される封止部を更に有してもよく、前記封止部は、前記照明器具設備と前記グランド面と間の封止係合部を形成するよう構成される。
【００１７】
この方法においては、前記シールドを有する前記照明器具ホルダが、前記グランド面と前記照明器具ホルダとの間の、侵入保護される又は防水の接続を担当する。
【００１８】
実施例においては、前記照明器具設備は、発光開口部を有してもよく、前記照明器具ホルダと前記照明器具モジュールとの間の前記封止係合部は、前記照明器具ホルダにおいて前記照明器具モジュールが受けられる場合に、前記発光開口部がカバーされないままであるように、形成され得る。
【００１９】
この方法においては、一旦、前記照明器具ホルダに前記照明器具モジュールが挿入されると、前記照明器具モジュールは、そのカバーによって、前記照明器具ホルダは、そのシールドによって、両方とも、防水保護を担当する。
【００２０】
実施例においては、前記照明器具モジュールは、複数の発光ダイオードを有する、発光ダイオードモジュール、ＬＥＤモジュールであり得る。
【００２１】
実施例においては、前記照明器具ホルダの前記シールドに、少なくとも１つのガスケット、即ち、所謂Ｏリングが取り付けられ得る。この実施例は、当然、前記ＩＰ等級を更に高め得る。
【００２２】
別の実施例においては、前記照明器具モジュールの前記カバーに少なくとも１つのガスケットが取り付けられてもよく、それによって、前記ＩＰ等級も更に高められ得る。
【００２３】
実施例においては、前記照明器具モジュール上の前記カバーは、前記カバーと、少なくとも１つのガスケットとを有する統合カバー機構であり得る。この方法においては、必要とされる構成要素の数がかなり減らされ得る。
【００２４】
実施例においては、前記照明器具設備が、前記シールドと前記グランド面との間に配置される封止部を有する場合に、前記照明器具ホルダ上の前記シールドは、前記グロメット封止部と、前記封止部と、少なくとも１つのガスケットとを有する統合シールド機構であり得る。
【００２５】
前記照明器具設備の更に別の実施例においては、前記照明器具ホルダと前記グランド面との間に少なくとも１つのガスケットが配設され得る。
【００２６】
別の実施例においては、前記グランド面に少なくとも１つのガスケットが取り付けられ得る。
【００２７】
本発明の第２の態様によれば、上記の目的及び他の目的は、電気回路コネクタと、前記電気回路コネクタ上に設けられるグロメット封止部と、シールドとを有し、グランド面に取り付けられるよう構成される照明器具ホルダであって、本発明の第１の態様の実施例のいずれかに従う照明器具設備の一部を形成するよう構成される照明器具ホルダによって達成される。
【００２８】
本発明の第３の態様によれば、上記の目的及び他の目的は、カバーを有し、発光開口部を通して光を発し、照明器具ホルダにおいて受けられるよう構成される照明器具モジュールであって、本発明の第１の態様の実施例のいずれかに従う照明器具設備の一部を形成するよう構成される照明器具モジュールによって達成される。
【００２９】
実施例においては、前記照明器具モジュールは、本発明の第２の態様による照明器具ホルダにおいて受けられるよう構成され得る。
【００３０】
実施例においては、前記照明器具ホルダは、本発明の第３の態様による照明器具モジュールを受けるよう構成され得る。
【００３１】
本発明は、請求項において列挙されている特徴の全てのあり得る組み合わせに関することに注意されたい。従って、第１の態様の全ての特徴及び利点が、各々、第２の態様及び第３の態様に同様に当てはまる。
【００３２】
特定の特徴及び利点を含む本発明の様々な態様は、以下の詳細な説明及び添付の図面から容易に理解されるだろう。
【図面の簡単な説明】
【００３３】
【図１】従来技術の照明器具ホルダの概略的な上面図である。
【図２】従来技術の照明器具モジュールの概略的な上面図である。
【図３】従来技術の照明器具ホルダの概略的な側面図である。
【図４】従来技術の照明器具モジュールの概略的な側面図である。
【図５】本発明の実施例による照明器具ホルダの概略的な上面図である。
【図６】本発明の実施例による照明器具モジュールの概略的な上面図である。
【図７】本発明の実施例による照明器具ホルダの概略的な底面図である。
【図８】本発明の実施例による照明器具ホルダの概略的な側面図である。
【図９】本発明の実施例による照明器具モジュールの概略的な側面図である。
【図１０】本発明の実施例による照明器具設備を図示する。
【図１１】本発明の実施例による照明器具設備を図示する。
【図１２】本発明の実施例による照明器具設備を図示する。
【発明を実施するための形態】
【００３４】
以下、本発明の現在好ましい実施例が示されている添付図面を参照して、本発明をより詳細に説明する。しかしながら、本発明は、多くの異なる形態で実施されてもよく、本願明細書に記載されている実施例に限定されると解釈されるべきではない。もっと正確に言えば、これらの実施例は、完全及び完璧を期すため、並びに本発明の範囲を熟練受取人に十分に伝えるためのものである。全体を通して、同様の参照符号は、同様の要素を指す。
【００３５】
図１は、電源ケーブル３が接続されることができる電気回路コネクタ２を有する従来技術の照明器具ホルダ１の概略的な上面図である。
【００３６】
図２は、電源接続部５を有する従来技術の照明器具モジュール４の概略的な上面図である。照明器具モジュール４は、図１に図示されている従来技術の照明器具ホルダ１において受けられるよう構成され得る。
【００３７】
図３は、図１に図示されている従来技術の照明器具ホルダ１の概略的な側面図である。図３において、従来技術の照明器具ホルダ１は、電気コネクタ２が取り付けられ得る口金６を有することが見られ得る。
【００３８】
図４は、電源接続部５を有する従来技術の照明器具モジュール４の概略的な側面図である。
【００３９】
図５は、本発明の概念に従う照明器具ホルダ１０の概略的な上面図である。照明器具ホルダ１０は、グロメット封止部１４が設けられ得る電気回路コネクタ１２を有する。グロメット封止部１４は、電源ワイヤ１６の防水接続を可能にする。照明器具ホルダ１０は、照明器具ホルダ１０のまわりに配設され得るシールド１８を更に有する。照明器具ホルダ１０は、更に、グランド面に取り付けられるよう構成され得る。
【００４０】
図６は、本発明の概念に従う照明器具モジュール２０の概略的な上面図である。照明器具モジュール２０は、電気コネクタ２２及び発光開口部１７を有する。照明器具モジュール２０は、カバー２４を更に有する。カバー２４は、スカートのように照明器具モジュールのまわりに配設され得る。
【００４１】
図７は、照明器具ホルダ１０の概略的な底面図である。照明器具ホルダ１０は、照明器具ホルダ１０と、照明器具ホルダ１０が取り付けられ得るグランド面との間に配設される封止部１３を有する。封止部１３は、シールド１８とグランド面との間に配置され得る。照明器具ホルダ１０は、封止部１３上に配設される少なくとも１つの他の封止部を更に有し得る。少なくとも１つの他の封止部は、照明器具ホルダ１０とグランド面との間の防水インタフェースを供給し得る平らなゴムリングであり得る。
【００４２】
図８は、照明器具ホルダ１０の概略的な側面図である。照明器具ホルダ１０は、電気回路コネクタ１２が配設される口金１１を有する。照明器具ホルダ１０は、ガスケット１５が配設され得るシールド１８を更に有する。ガスケットは、Oリングであり得る。照明器具ホルダ１０は、電源ワイヤの防水接続を可能にする、電源コネクタ上に配設されるグロメット封止部１４も有し得る。
【００４３】
一般に、照明器具ホルダは、照明器具モジュールを電源に接続することができる。
【００４４】
図９は、照明器具モジュール２０の概略的な側面図である。照明器具モジュール２０は、スカートのように照明器具モジュール２０のまわりに配設され得るカバー２４を有する。照明器具モジュール２０は、電気コネクタ２２を更に有する。
【００４５】
照明器具モジュールは、複数の発光ダイオードを有する、発光ダイオードモジュール、ＬＥＤモジュールであり得る。
【００４６】
有利なことには、照明器具モジュールは、付加的なＬＥＤドライバをそれに接続する必要性を取り除く、統合ドライバを有し得る。
【００４７】
照明器具モジュールは、異なる色温度、例えば、2700K、3000K、4000Kを持っていてもよく、これらは、全て、減光可能であり得る。
【００４８】
図１０は、本発明の概念に従う照明器具設備３０の実施例の概略的な側面図である。照明器具設備３０は、図８に図示されているもののような照明器具ホルダ１０と、図９に図示されているもののような照明器具モジュール２０とを有する。照明器具ホルダ１０は、電気回路コネクタ１２が配設される口金１１を有する。照明器具ホルダ１０は、口金１１上に配設されるシールド１８を更に有する。照明器具モジュール２０は、カバー２４を有する。シールド１８及びカバー２４は、照明器具ホルダ１０において照明器具モジュール２０が受けられる場合に、照明器具ホルダ１０と照明器具モジュールと間の封止係合部を形成するよう構成される。
【００４９】
更に、照明器具モジュール２０は、発光開口部１７を有する。カバー２４は、照明器具ホルダ１０において照明器具モジュール２０が受けられる場合に、発光開口部がカバーされないままであるようにして、照明器具ホルダ１０と照明器具モジュール２０との間の封止係合部が形成されるように、構成される。これは、高い侵入保護を備えながら、同時に、余分な光損失の発生を防止する封止係合部を可能にする。
【００５０】
続けて、ガスケット１５は、カバー２４上、又はシールド１８上のいずれかに配設され得る。ガスケット１５は、照明器具ホルダ１０と照明器具モジュール２０との間の、これら２つが互いに接続される場合の、封止係合部を更に改善する。
【００５１】
図１０に示されている照明器具設備３０は、シールド１８とグランド面３２との間に配置される封止部１３を更に有する。封止部１３は、照明器具設備３０とグランド面３２との間の封止係合部を形成するよう構成され得る。この方法においては、照明器具設備が、照明器具ホルダ１０とグランド面との間の防水接続を担当する。
【００５２】
図１１及び１２に関連して記載する本発明の以下の実施例は、ほとんどの面において、上記の図１０の実施例と類似している。以下では、違いについてしか述べない。
【００５３】
図１１は、本発明の概念に従う照明器具設備３０の実施例の概略的な側面図である。この実施例においては、照明器具モジュール２０上のカバー２４が、カバーと、少なくとも１つのガスケット１５とを有する統合カバー機構３４である。この実施例においては、統合カバー機構３４は、照明器具モジュール２０のまわりに配置されるゴムスカートである。
【００５４】
図１２は、本発明の概念に従う照明器具設備３０の実施例の概略的な側面図である。この実施例においては、照明器具ホルダ上のシールドは、グロメット封止部１４と、封止部と、少なくとも１つのガスケットとを有する統合シールド機構３６である。
【００５５】
実施例によれば、少なくとも１つのガスケットは、照明器具ホルダ１０とグランド面３２との間に配設され得る。
【００５６】
別の実施例によれば、少なくとも１つのガスケットは、グランド面３２に取り付けられ得る。
【００５７】
照明器具ホルダ１０は、前記のように、電気回路コネクタ１２と、電気回路コネクタ１２上に設けられるグロメット封止部１４と、シールド１８とを有し、グランド面３２に取り付けられるよう構成され得る。照明器具ホルダ１０は、図１０乃至１２に関連して上で記載したような照明器具設備３０の一部を形成するよう構成され得る。
【００５８】
照明器具モジュール２０は、前記のように、発光開口部を通して光を発し、照明器具ホルダ１０において受けられ、カバー２４を有するよう構成され得る。照明器具モジュール２０は、図１０乃至１２に関連して上で記載したような照明器具設備３０の一部を形成するよう構成され得る。
【００５９】
本発明の概念に従う照明器具モジュール２０は、従来技術の照明器具ホルダ１において受けられるよう構成され得る。
【００６０】
従来技術の照明器具ホルダ１は、本発明の概念に従う照明器具モジュール２０を受けるよう構成され得る。
【００６１】
この方法においては、高いＩＰ等級のモジュールと低いＩＰ等級のホルダを組み合わせること、及びその逆も可能であり得る。
【００６２】
更に、照明器具は、図１０乃至１２に関連して上で記載した照明器具設備のいずれか１つに従う設備３０を有し得る。このような照明器具は、グランド面３２と照明器具ホルダ１０とを有し得る。更に、このような照明器具は、随意に、照明器具を、例えば、天井又は壁に組み込み、取り付けるためのカバー又はリングなどのより多くのパーツを有し得る。このような照明器具が工場で組み立てられる場合、グランド面又は照明器具ホルダがこのような保護リングを有することは、必ずしも必要とされない。それ故、別々の保護リングは、随意に、照明器具の組み立て時に用いられ得る。
【００６３】
要約すると、照明器具ホルダ１０と照明器具モジュール２０とを有する照明器具設備３０が開示されている。照明器具ホルダ１０は、電気回路コネクタ１２と、前記電気回路コネクタ１２上に設けられるグロメット封止部１４と、シールド１８とを有し、グランド面３２に取り付けられるよう構成される。照明器具モジュール２０は、カバー２４を有し、照明器具ホルダ１０において受けられるよう構成される。シールド１８及びカバー２４は、照明器具ホルダ１０において照明器具モジュール２０が受けられる場合に、照明器具ホルダ１０と照明器具モジュール２０と間の封止機構を形成するよう構成される。
【００６４】
当業者は、本発明が、決して、上記の好ましい実施例に限定されないことを理解する。逆に、添付の請求項の範囲内で多くの修正及び変更が可能である。例えば、開示されている設備は、ＬＥＤ光源の一部であり得る。従って、ＬＥＤ光源は、上で開示されているような設備を１つ以上有し得る。同様に、開示されている設備は、照明器具の一部であり得る。
【図１】
2014531727.tif 000003
【図２】
2014531727.tif 000004
【図３】
2014531727.tif 000005
【図４】
2014531727.tif 000006
【図５】
2014531727.tif 000007
【図６】
2014531727.tif 000008
【図７】
2014531727.tif 000009
【図８】
2014531727.tif 000010
【図９】
2014531727.tif 000011
【図１０】
2014531727.tif 000012
【図１１】
2014531727.tif 000013
【図１２】
2014531727.tif 000014
【国際調査報告】
2014531727.tif 000015
2014531727.tif 000016